(57)【要約】【課題】化粧品、日用品、食料品などの商品を大量に陳列することができるとともに、運搬時に偏平状に折り畳んで搬送することができるものでありながら、構造が簡単で、部品数が少なく、より安価なものにする。【解決手段】角筒状の陳列台本体２０と、該陳列台本体２０の内側に互いに対峙するように設けた一対のＶ形の芯材２１ａ，２１ｂと、前記各芯材２１ａ，２１ｂに交差するように装着した芯材固定板３０ａ，３０ｂと、前記陳列台本体２０の上端よりも下方に設けた商品陳列板４０と、該商品陳列板４０に設けたスカート部４１と、前記芯材２１ａ，２１ｂに対応するスカート部４１に芯材２１ａ，２１ｂの開脚を防止する切り込み部４２を設ける。【選択図】図２
0003152613.tif 000002
【実用新案登録請求の範囲】
【請求項１】
角筒状の陳列台本体と、該陳列台本体の内側に互いに対峙するように設けた一対のＶ形の芯材と、前記各芯材に交差するように装着した芯材固定板と、前記陳列台本体の上端よりも下方に設けた商品陳列板と、該商品陳列板に設けたスカート部と、前記芯材に対応するスカート部に芯材の開脚を防止する切り込み部を設けたことを特徴とする商品陳列台。
【請求項２】
前記陳列台本体にＶ形の芯材を継ぎ目なく一体的に設けたことを特徴とする請求項１記載の商品陳列台。
【請求項３】
前記商品陳列板に互いに対峙する少なくとも一対のスカート部を設けるとともに、芯材に対応するスカート部にＶ形の芯材の開脚を防止する切り込み部を設けたことを特徴とする請求項１または２記載の商品陳列台。
【請求項４】
前記芯材固定板どうしを、連結材を介して連結させたことを特徴とする請求項１または２記載の商品陳列台。
【請求項５】
前記芯材固定板をそれぞれ独立させたことを特徴とする請求項１または２記載の商品陳列台。
【請求項６】
前記商品陳列板が、前記芯材および／または前記芯材固定板に支持されている請求項１から５いずれか記載の商品陳列台。
【請求項７】
前記陳列台本体と前記芯材と前記芯材固定板が段ボールにより形成してなる請求項１から６のいずれかに記載の商品陳列台。
【考案の詳細な説明】
【技術分野】
【０００１】
本考案は、商品陳列台、更に詳しくは、化粧品、日用品、食料品などの商品を大量に陳列することができるとともに、運搬時に偏平状に折り畳んで搬送することができる商品陳列台に関するものである。
【背景技術】
【０００２】
従来、前板、後板、左右側板からなる四角柱体と、４枚の仕切り板が井桁状に組み込まれてなる支持体と、該支持体の上端縁に設置される商品載置板とからなる陳列台が知られている（実用新案登録文献１参照。）。
【０００３】
この陳列台は、井桁状の支持体を陳列台本体の四角柱体とは全く別に作られた後、これを陳列台本体の内側に入れて使用されるため、部品の点数が多くなり、運搬や組み立てに手間がかかると推察される。また、部品の点数が多い上に構造が複雑なため、高度な加工が必要なため、製造単価も安くないと推察される。
【０００４】
また、従来、井桁状の支持体の構造を簡単にするものの、井桁状の支持体同士をゴム紐等で接続したり、井桁状の支持体を陳列台本体に接着等の手段で加工するものが見られるが、これらもその加工の度合いから、簡単に折り畳めないことから運搬に手間がかかり、製造単価も安くないと推察される。
【先行技術文献】
【特許文献】
【０００５】
【特許文献１】特開２０００−０８３７７６号公報
【考案の概要】
【考案が解決しようとする課題】
【０００６】
本考案は、化粧品、日用品、食料品などの商品を大量に陳列することができ、運搬時に偏平状に折り畳んで搬送することができるとともに、構造が簡単で、部品数の少ない、組み立てが容易で、十分な強度を有する、より安価な商品陳列台を提供することにある。
【課題を解決するための手段】
【０００７】
本考案の商品陳列台は、角筒状の陳列台本体と、該陳列台本体の内側に互いに対峙するように設けた一対のＶ形の芯材と、前記各芯材に交差するように装着した芯材固定板と、前記陳列台本体の上端よりも下方に設けた商品陳列板と、該商品陳列板に設けたスカート部と、前記芯材に対応するスカート部に芯材の開脚を防止する切り込み部を設けたことを特徴とするものである。
【０００８】
また、本考案の商品陳列台は、陳列台本体にＶ形の芯材を継ぎ目なく一体的に設けたことを特徴とするものである。
【０００９】
また、本考案の商品陳列台は、商品陳列板に互いに対峙する少なくとも一対のスカート部を設けるとともに、芯材に対応するスカート部に芯材の開脚を防止する切り込み部を設けたことを特徴とするものである。
【００１０】
また、本考案の商品陳列台は、芯材固定板どうしを連結材を介して連結させたことを特徴とするものである。
【００１１】
更に、本考案の商品陳列台は、芯材固定板をそれぞれ独立させたことを特徴とするものである。
更に、本考案の商品陳列台は、商品陳列板が、芯材および／または芯材固定板に支持されているものである。
更に、本考案の商品陳列台は、陳列台本体と芯材と芯材固定板が段ボールにより形成してなるものである。
【考案の効果】
【００１２】
本考案は、角筒状の陳列台本体と、該陳列台本体の内側に互いに対峙するように設けた一対のＶ形の芯材と、前記各芯材に交差するように装着した芯材固定板と、前記陳列台本体の上端よりも下方に設置した商品陳列板と、該商品陳列板に設けたスカート部と、前記芯材に対応するスカート部に芯材の開脚を防止する切り込み部を設けたので、従来よりも構造が簡単で、部品数が少なく、組み立てが容易で、十分な強度を有する、より安価なものにすることができた。
【００１３】
特に、部品数を削減することができたことから、運搬時に偏平状に折り畳んで搬送することができる。また、芯材をＶ形にしたこと及び、この芯材と芯材固定板の組み合わせにより、十分な強度を発揮し、陳列板に複数の商品を陳列することができる。
【図面の簡単な説明】
【００１４】
【図１】本考案に係る商品陳列台の斜視図である。
【図２】本考案に係る商品陳列台の分解図である。
【図３】本考案に係る他の商品陳列台の分解図である。
【考案を実施するための形態】
【００１５】
以下、本考案の実施の形態を図面を用いて説明する。尚、この実施の形態では、４辺にスカート部を持つ商品陳列板を例に取る。
【００１６】
図２に示すように、本考案の商品陳列台１０は、一対の芯材２１ａ，２１ｂを有する陳列台本体２０と、一組の芯材固定板３０ａ，３０ｂと、４辺にスカート部４１を有する商品陳列板４０から形成され、全て段ボールでできている。
【００１７】
陳列台本体２０は、横断面が長方形の筒形（角筒状の一形態）に形成され、前後左右の四つの側壁部２２ａ，２２ｂ，２２ｃ，２２ｄによって商店などの床面に自立できるようになっている。この陳列台本体２０は、左側壁部２２ａの内側にＶ形の芯材２１ａを設け、右側壁部２２ｂの内側にＶ形の芯材２１ｂを設けている。これらの芯材２１ａ，２１ｂは、互いに対峙するように配置されるとともに、陳列台本体２０に継ぎ目なく一体的に設けられている。尚、陳列台本体２０の横断面形状は、正方形でもよい。
【００１８】
更に、Ｖ形の芯材２１ａ，２１ｂは、スリット状の第１および第２の切り込み部２３，２４を有している。これらの切り込み部２３，２４は、全てＶ形の芯材２１ａ，２１ｂの上面側に開口している。その上、第２の切り込み部２４は、Ｖ形の芯材２１ａ，２１ｂの根幹部に設けられている。他方、第１の切り込み部２３の設置箇所は、特に、限定されないが、前壁部２２ｃ又は後壁部２２ｄを３等分する箇所に位置することが望ましい。
【００１９】
芯材固定板３０ａ，３０ｂは、ともに長方形の縦長の平面板であり、その横幅は、前壁部２２ｃと後壁部２２ｄとの内壁面間の寸法とほぼ同寸法に形成されている。また、芯材固定板３０ａ，３０ｂは、スリット状の縦長の切り込み部３１を備えている。この切り込み部３１は、芯材固定板３０ａ，３０ｂの下面側に開口している。更に、これらの芯材固定板３０ａ，３０ｂは、固定板どうしを平板状の連結板３２によって連結している。尚、所望により、連結板３２を無くして芯材固定板３０ａおよび芯材固定板３０ｂをそれぞれ独立させても差し支えがない。固定板は１枚でも複数枚でも良い。固定板が複数枚の場合、部材がバラバラにならなかったり、強度を保持しつつ部品点数を減らすことができたり、芯材固定板の切り込み部と芯材の切り込み部を＋形に組み付け（交差させ）たときにズレないようにできる等の点から、連結させることが好ましい。
【００２０】
商品陳列板４０は、陳列台本体２０の上端開口部とほぼ同じ形状寸法に形成した長方形の平面板であり、その４辺にスカート部４１を備えている。そして、芯材２１ａ，２１ｂに対応する一対のスカート部４１ａ，４１ｂにスリット状の切り込み部４２を設けている。この切り込み部４２は、スカート部４１ａ，４１ｂの下側に開口している。他の言い方をすれば、商品陳列板は、商品陳列板に互いに対峙する少なくとも一対のスカート部を設けるとともに、芯材に対応するスカート部にＶ形の芯材の開脚を防止する切り込み部を設けている。商品陳列板４０は、芯材２１ａ，２１ｂおよび芯材固定板３０ａ，３０ｂによって支持するようになっている。商品陳列板は、芯材または心材固定板に支持されていれば良いが、より強度が増すという点から、その両方に支持されることが好ましい。
【００２１】
図１に示すように、商品陳列台１０は、陳列台本体２０の上端２５より所定の深さだけ下方に商品陳列板４０を設け、陳列台本体２０の上端部分が商品の転落を防止する商品転落防止部２６になっている。商品陳列板は、上端または上端近傍にあれば良い。商品転落防止部を形成できる点においては、上端近傍にあることが好ましいが、陳列する商品の形態によっては上端にあってもよい。陳列台本体の上端より所定の深さだけ下方に商品陳列板を設け、商品転落防止部を設ける場合には、例えば、上端から２〜７ｃｍの深さに商品陳列板を設けることが好ましい。
【００２２】
（商品陳列台の組立て方法）
上記商品陳列台１０を組み立てる場合は、図２に示すように、芯材固定板３０ａの切り込み部３１を芯材２１ａの切り込み部２３に対応させるとともに、芯材固定板３０ｂの切り込み部３１を芯材２１ｂの切り込み部２３に対応させる。
【００２３】
次に、芯材固定板３０ａの切り込み部３１と芯材２１ａの切り込み部２３を利用して両者を＋形に組み付けると同時に、芯材固定板３０ｂの切り込み部３１と、芯材２１ｂの切り込み部２３を利用して両者を＋形に組み付け、芯材固定板３０ａ，３０ｂによって芯材２１ａ，２１ｂの位置を固定する。
【００２４】
次に、商品陳列板４０のスカート部４１ａに設けた切り込み部４２を芯材２１ａに設けた第２の切り込み部２４に対峙させるとともに、商品陳列板４０のスカート部４１ｂに設けた切り込み部４２を芯材２１ｂに設けた第２の切り込み部２４に対峙させる。
【００２５】
次に、スカート部４１ａの切り込み部４２と芯材２１ａの第２の切り込み部２４を利用して両者を＋形に組み付けると同時に、スカート部４１ｂの切り込み部４２と芯材２１ｂの第２の切り込み部２４を利用して両者を＋形に組み付ける。
【００２６】
そして、スカート部４１ａの切り込み部４２によってＶ形の芯材２１ａを挟持する一方、スカート部４１ｂの切り込み部４２によってＶ形の芯材２１ｂを挟持する。このため、スカート部４１ａの切り込み部４２によってＶ形の芯材２１ａの開脚が防止され、スカート部４１ｂの切り込み部４２によってＶ形の芯材２１ｂの開脚が防止される。
【００２７】
尚、商品陳列台１０を分解又は解体して運搬場合は、商品陳列板４０を外してから、芯材固定板３０ａ，３０ｂを外して商品陳列台本体２０を偏平にする。商品陳列台には一般に陳列台に使用されている様様な材質が使用できるが、製造単価、組立・解体、運搬の容易さ、材料の加工の容易さの観点から、段ボールや厚紙などが好ましい。
【００２８】
（商品陳列台の他の実施形態）
以上の説明では、４辺にスカート部４１を設けた商品陳列板４０を適用する場合について説明したが、商品陳列板としては、図３に示すように、芯材２１ａ，２１ｂに対応する２辺のみに切り込み部４２付きのスカート部４１を設けた商品陳列板４０’を適用することもできる。尚、商品陳列板４０’の組み付け、分解方法も図２の場合と同じであるから、説明を省略する。
【符号の説明】
【００２９】
２０  陳列台本体
２１ａ，２１ｂ  芯材
３０ａ，３０ｂ  芯材固定板
４０，４０’  商品陳列板
４１  スカート部
４２  切り込み部
【図１】
0003152613.tif 000003
【図２】
0003152613.tif 000004
【図３】
0003152613.tif 000005